【事件の表示】
　平成　４年特許願第　２９０３７号「パチンコ機」拒絶査定不服審判事件〔平成　５年　８月　３日出願公開、特開平　５−１９２４３８〕について、次のとおり審決する。
【結　論】
　本件審判の請求は、成り立たない。
【理　由】
１． 手続きの経緯、本願発明
　本願は、平成４年１月２１日の出願であって、その請求項１に係る発明は、平成１３年５月２１日付け及び平成１６年１月２６日付けの手続補正書により補正された明細書及び図面の記載からみて、その特許請求の範囲の請求項１に記載された次のとおりのものと認める。（以下、「本願発明」という。）
　
【請求項１】　遊技盤面に、始動口と一対の可動翼片によって開閉される大入賞口の内部に可動体及び特定領域を備えた入賞装置とを有し、前記始動口に遊技球が入賞すると、前記入賞装置の大入賞口が開閉動作し、その開閉動作中に受け入れられた遊技球が前記入賞装置内の特定領域に入賞すると、前記入賞装置の大入賞口の連続開閉動作を行うように構成されたパチンコ機において、
前記可動体の動作は、前記大入賞口の連続開閉動作中に前記入賞装置内に受け入れた球の転動に影響を与えるものとされており、前記大入賞口の連続開閉動作の初回開放開始までの前記入賞装置内に球が入賞不可能な前記大入賞口の閉鎖中に、大当り発生の意味での前記入賞装置のデモンストレーションとして前記可動体の動作を行わせることを特徴とするパチンコ機。
　
２．引用例に記載された発明
　これに対して、当審において平成１５年１０月３１日付けで通知した拒絶の理由に引用した刊行物である特開平１−２５４１８６号公報（以下、「引用例」という。）には、図面とともに、次の事項が記載されている。
「本発明は、球を受け入れない第１状態と球を受け入れ易い第２状態とに変換可能な可動部材を有し、該可動部材が受け入れた球を載せる棚板を基板の開口部に設けるとともに、棚板上に載った球を一時的に貯留する貯留部を形成したパチンコ機の変動入賞装置に関するものである。」（第１頁左欄第１７行−右欄第２行）
「したがって、第１ソレノイド２７が消磁した状態においては、第１ソレノイド２７の第１復帰スプリング等の付勢により、第４図実線で示すように、可動部材１６がほぼ垂直に起立し、流下してきた球を受け止めない、即ち球を開口部１３に流入させない第１状態となる。そして、第１ソレノイド２７が励磁すると、第１作動部材３２が上昇するので、支軸１７が回転して可動部材１６を上端が夫々外側に倒れる方向に回動する。」（第３頁左上欄第４−１３行）
「この状態で遊技部３内を流下する球が左側の第２特定入賞口８ａに入ると、………、第１ソレイノド２７を短時間（例えば、０．８秒間のウエイトタイムが経過した後０．４秒間）だけ励磁して可動部材１６を球を受け入れない第１状態から第２状態に変換する。」（第５頁左下欄第１５行−右下欄第７行）
「一方、可動部材１６が受け入れた球が運良く特別入賞口２２に入賞すると、特別入賞口２２の流路に設けた特別入賞検出器６１がこの球を検出して電気的制御装置６０に特別遊技の権利が発生した旨の信号を送る。なお、特別入賞検出器６１に作用した球は、遊技盤１の裏側の集合樋内に入って入賞球として処理される。…………。この様に、本実施例では球が左側の第２特定入賞口８ａに入ると第１特別遊技選択表示器１１ａの高速変換表示が停止するとともに、変動入賞装置６に可動部材１６が１回だけ開き、このときに球が特別入賞口２２に球が入ると、上記第１特別遊技選択表示器１１ａにより決定されたモードで特別遊技が開始されることになる。なお、特別遊技の内容については、後述する。」（第５頁右下欄１４行−第６頁左上欄１９行）
「したがって、球が第１特定入賞口７に入ると、可動部材１６が０．８秒間宛２回だけ第１状態から第２状態に変換する。」（第６頁右下欄第５−８行）
「本実施例における特別遊技のＡモードは、第１６図のフローチャートで示すように、電気的制御装置６０の特別遊技進行制御手段が変動入賞装置６の鎧部１４に設けたランプ表示器６３ａを点灯して特別遊技実行モードＡを可視表示し、継続回数カウンタに「１」を設定し、ウエイトタイマをセットし、開閉回数カウンタと入賞個数カウンタを帰零し、第２ソレノイド２８を０．４秒間宛２回励磁する。第２ソレノイド２８が励磁されると、人形状の装飾部材２６が口を２回大きく開閉して、遊技者に特別遊技の１サイクル目が開始されたことを可視表示する。そして、ウエイトタイマにセットした所定時間が経過すると、継続回数カウンタの値「１」と予め設定した回数（本実施例では１０回）とを比較してからモータ２９を始動するとともに、第１ソレノイド２７を所定時間宛所定回数だけ励磁・消磁を繰り返す。」（第７頁左上欄第１６行−右上欄第１２行）
　
　以上の記載によれば、第１引用例には、
「遊技部３に、特定入賞口７，８ａ，８ｂと一対の可動部材１６によって開閉される開口部１３の内部に装飾部材２６及び特別入賞口２２を備えた変動入賞装置６とを有し、前記特定入賞口７，８ａ，８ｂに球が入賞すると、前記変動入賞装置６の開口部１３が開閉動作し、その開閉動作中に受け入れられた球が変動入賞装置６内の特別入賞口２２に入賞すると、第１ソレノイド２７に所定回数だけ励磁・消磁を繰り返させ、可動部材１６を、球を受け入れない第１状態から球を受け入れ易い第２状態への繰返しを連続的に行っている特別遊技を行うように構成されたパチンコ機において、前記特別遊技の１サイクル目開始までの前記変動入賞装置６内に球が入賞不可能な前記開口部１３の閉鎖中に、前記装飾部材２６の口が２回開閉して、特別遊技の１サイクル目が開始されたことを可視表示するパチンコ機」
　との発明（以下「引用発明」という。）が開示されていると認めることができる。
　
３．本願発明と引用発明との対比
　本願発明と、引用発明とを比較すると、
（１）引用発明の「遊技部３」「特定入賞口７，８ａ，８ｂ」「可動部材１６」「開口部１３」「特別入賞口２２」「変動入賞装置６」「球」「球を受け入れない第１状態から球を受け入れ易い第２状態への繰返しを連続的に行っている特別遊技」「特別遊技の１サイクル目」は、それぞれ、本願発明の「遊技盤面」「始動口」「可動翼片」「大入賞口」「特定領域」「入賞装置」「遊技球」「大入賞口の連続開閉動作」「大入賞口の連続開閉動作の初回開放開始」に相当する。
（２）引用発明の「装飾部材」はその口が開閉するのであるから、本願発明の「可動体」に相当することは明らかである。
（３）引用発明の「特別遊技の１サイクル目が開始されたことを可視表示する」ことは、　「可視表示」が可動の動作により特別遊技の１サイクル目が開始されたことを明示、すなわち「デモンストレーション」であるから、本願発明の「大当り発生の意味での入賞装置のデモンストレーションとして可動体の動作を行わせること」と相違しない。
　
　そうすると、両者は「遊技盤面に、始動口と一対の可動翼片によって開閉される大入賞口の内部に可動体及び特定領域を備えた入賞装置とを有し、前記始動口に遊技球が入賞すると、前記入賞装置の大入賞口が開閉動作し、その開閉動作中に受け入れられた遊技球が入賞装置内の特定領域に入賞すると、前記入賞装置の大入賞口の連続開閉動作を行うように構成されたパチンコ機において、前記大入賞口の連続開閉動作の初回開放開始までの前記入賞装置内に球が入賞不可能な前記大入賞口の閉鎖中に、大当り発生の意味での前記入賞装置のデモンストレーションとして前記可動体の動作を行わせるパチンコ機」である点で一致し、以下の点で相違する。
　
・ 相違点
　本願発明は、可動体の動作が、大入賞口の連続開閉動作中に入賞装置内に受け入れた球の転動に影響を与えるものとされているのに対し、引用発明は、装飾部材の動作が、大入賞口の連続開閉動作中に入賞装置内に受け入れた球の転動に必ずしも影響を与えるものではない点で相違している。
　
　当該相違点について検討する。
　一対の可動翼片を有する入賞装置の内部に備えられた装飾部材等の動作が、入賞装置内に受け入れた球の転動に影響を与えることは、特開平１−２３６０８２号公報（特に第３頁左下欄第１７行〜第４頁左上欄３行には、誘導部材５１，５１が装飾効果を高めるとともにその動作によって特別入賞口３９に入賞し易くしていることが記載されている）、特開平１−２４９０８１号公報（特に第３頁左上欄第１８行〜左下欄第９行参照）、特開平３−１２１８８号公報（特に第５頁左下欄第１５行〜第６頁第６行参照）等に記載されているように周知である。
　引用発明の可動体は、デモンストレーション動作を行なうものであり、球の転動に影響を与えるものとはいえないが、各周知例にみられるように、入賞装置内の可動部材が球に影響を与えるようにした構成が周知であって、本願発明は、この周知の構成を引用発明に付加したことによって奏される予測できる効果を超えた格別の効果はないから、引用発明に周知の構成を単に付加したものにすぎない。
　
４．むすび
　以上のとおり、本願発明は、引用発明及び周知技術に基づいて当業者が容易に発明をすることができたものであるから、特許法第２９条第２項の規定により特許を受けることができない。